(57)【要約】【課題】必要最小限の部品を用い、大部分の連結部を嵌合構造にて連結し、ネジ止め箇所を最小限に止めるにも係らず必要な強度を備え、組立工数、時間を大幅に短縮し、コスト削減化を図ることができる組立式カウンター装置を提供する。【解決手段】天板１と、前後両縦杆８の上下間に横杆９を固着した脚枠体２と、前後一対の横桟３及び下連結部材４と、フロントパネル５とを少なくとも有し、両脚枠体内面側の上端前後部の係止孔１０に、横桟の端部のフック１７を嵌合係止し、両脚枠体内面側の下端前部の係止孔１１に、下連結部材の端部のフック２１を嵌合係止し、フロントパネルの下端部裏面に、下連結部材に係止する係止片２４を突設し、フロントパネルの上端部裏面に、前方の横桟に係止する取付片２５を突設し、適宜取付手段にて取付けた天板と前記横桟とで前記取付片を挟持してなる。【選択図】        図２
2004180952.tif 000002
【特許請求の範囲】
【請求項１】
両側に間隔をおいて立設した両縦部材の上下間に横部材を連結してフレーム組体を形成し、両縦部材間に嵌合する横幅と上下横部材間に渡る高さを有したパネルの下端部裏面に、前記下横部材に上方から係止する係止片を突設するとともに、前記パネルの上端部裏面に、前記上横部材の上端面に載置し且つ該上横部材の内面に係止する断面略Ｌ字形の取付片を突設し、適宜取付手段にて取付けた天板と前記上横部材とで前記取付片を挟持してなることを特徴とするパネルの取付構造。
【請求項２】
両側に間隔をおいて立設した両縦部材の上下間に横部材を連結してフレーム組体を形成し、両縦部材の前面の一部又は前部を覆い得る横幅と上下横部材間に渡る高さを有したパネルの両側端部裏面に、前記両縦部材の前面に形成した係止孔に係止するフックを突設するとともに、前記パネルの上端部裏面に、前記上横部材の上端面に載置し且つ該上横部材の内面に係止する断面略Ｌ字形の取付片を突設し、適宜取付手段にて取付けた天板と前記上横部材とで前記取付片を挟持してなることを特徴とするパネルの取付構造。
【請求項３】
天板と、前後両縦杆の上下間に横杆を固着した脚枠体と、前後一対の横桟及び下連結部材と、フロントパネルとを少なくとも有し、前記両脚枠体の内面側の上端前後部に形成した係止孔に、それぞれ横桟の端部に設けたフックを嵌合係止するとともに、前記両脚枠体の内面側の下端前部に形成した係止孔に、前記下連結部材の端部に設けたフックを嵌合係止し、前記フロントパネルの下端部裏面に、前記下連結部材に上方から係止する係止片を突設するとともに、前記フロントパネルの上端部裏面に、前方の前記横桟の上端面に載置し且つ該横桟の内面に係止する断面略Ｌ字形の取付片を突設し、適宜取付手段にて取付けた天板と前記横桟とで前記取付片を挟持してなることを特徴とする組立式カウンター装置。
【請求項４】
前記天板と、前記脚枠体と、前記横桟及び下連結部材と、前記フロントパネルと、サイドパネルとを少なくとも有し、前記サイドパネルの下端部裏面に、前記脚枠体の下横杆に上方から係止する係止片を突設するとともに、前記サイドパネルの上端部裏面に、前記脚枠体の上横杆の上端面に載置し且つ該上横杆の内面に係止する断面略Ｌ字形の取付片を突設し、適宜取付手段にて取付けた天板と前記上横杆とで前記取付片を挟持してなる請求項３記載の組立式カウンター装置。
【請求項５】
前記横桟の両端に設けたフックの基部に、前記脚枠体の係止孔に嵌入して上方移動を規制する突部を形成し、前記横桟のフックを前記脚枠体の係止孔に嵌合係止するとともに、前記突部を該係止孔に嵌入した状態で、前後一対の横桟上に天板を載置し、下方より横桟を貫通させて天板をネジ止めしてなる請求項３又は４記載の組立式カウンター装置。
【請求項６】
前記フロントパネルの取付片に形成した通孔又は切欠部を貫通して、前方の前記横杆と前記天板をネジ止めしてなる請求項５記載の組立式カウンター装置。
【発明の詳細な説明】
【０００１】
【発明の属する技術分野】
本発明は、パネルの取付構造及びそれを用いた組立式カウンター装置に係わり、更に詳しくは各部品を設置現場にてノックダウン方式で組立てることが可能な組立式カウンター装置に関するものである。
【０００２】
【従来の技術】
従来から、各部品を設置現場にてノックダウン方式で組立てることが可能な組立式カウンター装置は各種提供されている。例えば、特許文献１には、支柱の下端に脚杆、同上端に天板の支持杆をそれぞれ一体固着した一対のコ字型の枠体と、支柱の前方垂直部同士連結する上、下二枚の継板と、該継板に上方から係合する垂直片を有する二つの取付板を継板間の間隔をあけて裏面の上下に平行に固着した複数のフロントパネルと、支柱の後方垂直部同士を連結すると同時にフロントパネル裏面を隠蔽する上、下複数のリアパネルと、枠体の支持杆に載置され、同支持杆に固着される天板とから成るカウンターテーブル構成体が記載されている。
【０００３】
しかし、この特許文献１に記載のものは、フロントパネルを、その裏面に取付けた上下の取付板を支柱間に設けた上下の継板に係合させて取付けるが、枠体と継板、枠体とエンドパネル、枠体と天板等、殆どの構成部品がネジ止めによって連結されており、ネジ止め箇所が多数あって組立に手間を要し、更にフロントパネルは単に継板に係止されているだけであるので、ガタついたり、簡単に外れてしまう恐れがある。
【０００４】
また、特許文献２には、ベースと、巾木と、本体と、天板とから組立てる店舗用カウンターが記載され、本体は左右の側板の下縁間を下横桟により、上縁間を上横桟によりそれぞれ剛結し、側板の前縁近傍部間にインナーパネルを固設した構造が記載されている。そして、前記本体の両側板の前端間に、フロントパネルを着脱可能に装着すべく、該フロントパネルの下端部には、前記インナーパネルの下屈曲片に回動可能に係合する係合片を設けるとともに、上端部側に、前記側板の前端面に設けた係合孔に係合させる爪を突設した構造を採用している。
【０００５】
しかし、この特許文献２には、本体そのものの組立構造は開示されてなく、また側方へ連設する場合には、本体を構成する側板同士をボルト連結する構造であるので、見えない部分に多数の側板が存在し、コスト高となる。更に、フロントパネルは、天板との間に間隔を設けて装着しているので、フロントパネルが不意に持ち上がると簡単に外れることになる。
【０００６】
【特許文献１】実公平６−４６３５０号公報
【０００７】
【特許文献２】実公平６−４７３３１号公報
【０００８】
【発明が解決しようとする課題】
本発明が前述の状況に鑑み、解決しようとするところは、パネルをフレーム組体に簡単且つ強固に取付けることができるパネルの取付構造と、必要最小限の部品を用い、大部分の連結部を嵌合構造にて連結し、ネジ止め箇所を最小限に止めるにも係らず必要な強度を備え、組立工数、時間を大幅に短縮し、コスト削減化を図ることができる組立式カウンター装置を提供する点にある。
【０００９】
【課題を解決するための手段】
本発明は、前述の課題解決のために、両側に間隔をおいて立設した両縦部材の上下間に横部材を連結してフレーム組体を形成し、両縦部材間に嵌合する横幅と上下横部材間に渡る高さを有したパネルの下端部裏面に、前記下横部材に上方から係止する係止片を突設するとともに、前記パネルの上端部裏面に、前記上横部材の上端面に載置し且つ該上横部材の内面に係止する断面略Ｌ字形の取付片を突設し、適宜取付手段にて取付けた天板と前記上横部材とで前記取付片を挟持してなるパネルの取付構造を構成した。
【００１０】
あるいは、本発明は、両側に間隔をおいて立設した両縦部材の上下間に横部材を連結してフレーム組体を形成し、両縦部材の前面の一部又は前部を覆い得る横幅と上下横部材間に渡る高さを有したパネルの両側端部裏面に、前記両縦部材の前面に形成した係止孔に係止するフックを突設するとともに、前記パネルの上端部裏面に、前記上横部材の上端面に載置し且つ該上横部材の内面に係止する断面略Ｌ字形の取付片を突設し、適宜取付手段にて取付けた天板と前記上横部材とで前記取付片を挟持してなるパネルの取付構造を構成した。
【００１１】
また、本発明は、前述の課題解決のために、天板と、前後両縦杆の上下間に横杆を固着した脚枠体と、前後一対の横桟及び下連結部材と、フロントパネルとを少なくとも有し、前記両脚枠体の内面側の上端前後部に形成した係止孔に、それぞれ横桟の端部に設けたフックを嵌合係止するとともに、前記両脚枠体の内面側の下端前部に形成した係止孔に、前記下連結部材の端部に設けたフックを嵌合係止し、前記フロントパネルの下端部裏面に、前記下連結部材に上方から係止する係止片を突設するとともに、前記フロントパネルの上端部裏面に、前方の前記横桟の上端面に載置し且つ該横桟の内面に係止する断面略Ｌ字形の取付片を突設し、適宜取付手段にて取付けた天板と前記横桟とで前記取付片を挟持してなる組立式カウンター装置を構成した。
【００１２】
また、本発明は、前記天板と、前記脚枠体と、前記横桟及び下連結部材と、前記フロントパネルと、サイドパネルとを少なくとも有し、前記サイドパネルの下端部裏面に、前記脚枠体の下横杆に上方から係止する係止片を突設するとともに、前記サイドパネルの上端部裏面に、前記脚枠体の上横杆の上端面に載置し且つ該上横杆の内面に係止する断面略Ｌ字形の取付片を突設し、適宜取付手段にて取付けた天板と前記上横杆とで前記取付片を挟持してなるものである。
【００１３】
ここで、前記横桟の両端に設けたフックの基部に、前記脚枠体の係止孔に嵌入して上方移動を規制する突部を形成し、前記横桟のフックを前記脚枠体の係止孔に嵌合係止するとともに、前記突部を該係止孔に嵌入した状態で、前後一対の横桟上に天板を載置し、下方より横桟を貫通させて天板をネジ止めしてなるのである。
【００１４】
また、前記フロントパネルの取付片に形成した通孔又は切欠部を貫通して、前方の前記横杆と前記天板をネジ止めしてなるのである。
【００１５】
【発明の実施の形態】
次に本発明の実施の形態を添付図面に基づき更に詳細に説明する。図１〜図６は、本発明に係る組立式カウンター装置の代表的実施形態を示し、図中符号１は天板、２は脚枠体、３は横桟、４は下連結部材、５はフロントパネル、６はサイドパネル、７は棚板をそれぞれ示している。
【００１６】
本発明に係る組立式カウンター装置は、両脚枠体２，２の上端前後部に一対の横桟３，３を嵌合係止して連結するとともに、両脚枠体２，２の下端前部に下連結部材４を嵌合係止して連結し、両脚枠体２の前端間で前方の横桟３と下連結部材４とにフロントパネルを係止し、また各脚枠体２の上下横杆にサイドパネル６を係止し、その状態で前後横桟３，３に天板１を載置し且つ下方より該横桟３，３を貫通させてネジ止めし、更に両脚枠体間に棚板７を係止して組立てるのである。即ち、ネジ止め箇所は、前記横桟３，３に天板１を連結する部分のみとなり、その他の連結部は嵌合構造であるので、組立工数及び時間が大幅に短縮される。
【００１７】
以下、各部の詳細を更に説明する。前記天板１は、内部構造や素材に限定は不要であるが、下面に前記横桟３，３にネジ止めするための螺孔を、オニメナット等を埋設する等して設けてある。但し、後述する理由によって、天板１の取付位置を前後方向に変更できるように螺孔は２群設けている。
【００１８】
前記脚枠体２は、角パイプ状の前後両縦杆８，８の上下間に、同じく角パイプ状の横杆９，９を固着したフレーム組体である。そして、前記脚枠体２の内面側で両縦杆８，８の上端部に縦長の係止孔１０，１０を形成するとともに、両縦杆８，８の下端部に縦長の係止孔１１，１１を形成している。また、両縦杆８，８の内面側には、上下方向に所定間隔毎に前記棚板７を支持するための棚受具１２を係止する横長の係止孔１３，…を形成している。更に、両縦杆８，８の下端には、高さ調節するためのアジャスター１４を設けている。ここで、前記左右両側に配置する脚枠体２，２は、本実施形態では前後対称な構造にしているため、全く同一の構造を有し、他方を１８０度反転させれば良いようにしている。尚、図１及び図２に示したものは、単独のカウンターを構成する場合の脚枠体２であるが、該脚枠体２の外側面に新たな横桟３，３と下連結部材４を連結して、該脚枠体２を介して次々に側方へ連設していく場合には、当該中間に位置する脚枠体２は、横幅が端部の脚枠体２の略２倍に設定するとともに、両面に前記係止孔１０，１０と、係止孔１１，１１と、係止孔１３，…等の必要な構造を形成したものとなる。
【００１９】
前記横桟３は、スチール製の長尺部材であり、上面に前記天板１を載置する水平な載置板１５と、それから垂下した断面略Ｌ字形の補強板１６とからなり、該補強板１６の端部に前記脚枠体２の係止孔１０に嵌合係止するフック１７をそれぞれ形成している。更に、前記横桟２の両端に設けたフック１７の基部に、前記脚枠体２の係止孔１０に嵌入して上方移動を規制する突部１８を形成している。ここで、前後の横桟３，３は、本実施形態では同一構造であり、前後反転して用いる。
【００２０】
前記下連結部材４は、スチール製の長尺部材で巾木を兼ねており、基板１９の上縁を内方へ屈曲して受板２０を形成し、該受板２０は下方へＶ字状に屈曲した形状であり、前記基板１９の端部には前記前記脚枠体２の係止孔１１，１１に嵌合係止するフック２１，２１をそれぞれ形成している。尚、前記下連結部材４の基板１９の上縁は、前述のフロントパネル５を係止するための係止縁２２となっており、また前記受板２０のＶ字溝には、コード類を受けることができ、更に適所に形成した開口２３から下方へコード類を挿通して配線できるようにしている。
【００２１】
前記フロントパネル５は、両脚枠体２，２の前方縦杆８，８間に嵌合する横幅と、前方の横桟３と下連結部材４間に渡る高さを有し、下端部裏面に、前記下連結部材４の係止縁２２に上方から係止する係止片２４を突設するとともに、上端部裏面に、前記横桟３の上端面に載置し且つ該横桟３の内面に係止する断面略Ｌ字形の取付片２５を突設したものである。前記係止片２４の先端部は、前記前記下連結部材４のＶ字溝の傾斜と一致させて下向き傾斜片２４Ａとなっており、また取付片２５は前記横桟３の載置板１５に載置する支持片２５Ａとその先端に垂下した規制片２５Ｂとからなっている。
【００２２】
そして、前記横桟３，３の載置板１５，１５に形成した取付孔２６，…に、下方からネジ２７，…を挿通し、前記天板１の下面に螺合して取付けるが、この際に前記取付片２５の支持片２５Ａに前記ネジ２７を通過する通孔２８，…又は切欠部を形成する。前記フロントパネル５は、下端部の係止片２４を前記下連結部材４の係止縁２２に係止するとともに、上端部の取付片２５を前方の横桟３に係止した状態で、前記天板１を載置して下方から前後の横桟３，３にネジ止めすることで、前記天板１と横桟３とで前記取付片２５を挟持するので、天板１を取付けた後には、前記フロントパネル５はガタつきなく強固に支持される。
【００２３】
また、前記サイドパネル６は、前記脚枠体２の両縦杆８，８間に嵌合する横幅と上下横杆９，９間に渡る高さを有し、下端部裏面に、下方の横杆９に上方から係止する係止片２９を突設するとともに、上端部裏面に、上方の横杆９の上端面に載置し且つ該横杆９の内面に係止する断面略Ｌ字形の取付片３０を突設し、前記天板１を横桟３，３にネジ止めすることによって該天板１と前記脚枠体２の上方の横杆９とで前記取付片３０を挟持する。ここで、前記係止片２９と取付片３０は、前記フロントパネル５の取付片２５と同様な形状であり、それぞれ対応する横桟３に載置する支持片２９Ａ，３０Ａとその先端に垂下した規制片２９Ａ，３０Ｂとを有している。また、前記サイドパネル６の両側縁には、直角に当止板３１，３１を形成し、該当止板３１，３１を両縦杆８，８の対向面に当止するとともに、必要に応じて該当止板３１に通孔３２，３２を形成するとともに、対応する縦杆８，８に孔３３，３３を形成し、両通孔３２と孔３３に合成樹脂製のプッシュリベット３４で連結することも好ましい。
【００２４】
そして、本発明に係る組立式カウンター装置を組立てる手順を図３及び図４に基づいて説明する。先ず、前記脚枠体２の係止孔１０，１０に、前後の横桟３，３のフック１７を若干手前を下げて傾斜させた状態でそれぞれ嵌合係止した後、脚枠体２と横桟３を直角にすると、突部１８が係止孔１０に嵌入し、脚枠体２に対して横桟３の上方移動が規制される（図３（ａ）参照）。そして、他方の脚枠体２にも同様に両横桟３，３を嵌合係止によって連結する（図３（ｂ）参照）。
【００２５】
次に、両脚枠体２，２の前方の縦杆８，８の下端部に形成した係止孔１１，１１に、該脚枠体２，２の下端部を若干広げながら下連結部材４の両端のフック２１，２１をそれぞれ嵌合係止して連結する（図３（ｂ）及び図３（ｃ）参照）。
【００２６】
それから、必要に応じてサイドパネル６の下方の係止片２９を脚枠体２の下方の横杆９に係止するとともに、上方の取付片３０を当該脚枠体２の上方の横杆９に係止する（図３（ｃ）及び図４（ａ）参照）。この際、適宜プッシュリベット３４でサイドパネル６の当止板３１を縦杆８に定着するが、必ずしも必要ではない。また、サイドパネル６は、端部に位置する脚枠体２のみに取付ければ足りるので、複数側方へ連設する場合には、中間に位置する脚枠体２にはサイドパネル６を取付けない。そうすることによって、大幅なコスト低減化が図れる。
【００２７】
同様に、フロントパネル５の下方の係止片２４を下連結部材４に係止するとともに、上方の取付片２５を前方の横桟３に係止する（図４（ｂ）及び図４（ｃ）参照）。ここで、前記サイドパネル６とフロントパネル５を取付ける順序は逆でも良い。
【００２８】
最後に、前記横桟３，３上に天板１を載置するとともに、下方よりネジ２７，…を横桟３の取付孔２６，…に挿通し、前方の横桟３にあってはフロントパネル５の取付片２５に形成した通孔２８にも挿通し、天板１の裏面に設けた図示しない螺孔に螺合して取付ける（図４（ｃ）参照）。この状態で、前記フロントパネル５の取付片２５は、天板１と前方の横桟３とで挟持され、同様に前記サイドパネル６の取付片３０は、天板１と脚枠体２の上方の横杆９とで挟持されているので、前記フロントパネル５と前記サイドパネル６は、不意に外れることがないばかりでなく、ガタつきなく強固に支持される。また、前記取付片２５及び取付片３０は、それぞれ前方の横桟３及び脚枠体２の上方の横杆９と一体となり、天板１を支持するので強度が向上する。
【００２９】
そして、必要に応じて両脚枠体２，２の内面側の係止孔１３，…に棚受具１２，…を取付け、該棚受具１２，…にて単又は複数段に棚板７を支持することができる。ここで、最も下方の棚板７は底板として利用することができ、図６に示すように、前記下連結部材４の受板２０の上位に棚板７を位置させ、該受板２０のＶ字溝は直接見えないようにすることで、該Ｖ字溝に配線したコード類を隠すことができる。
【００３０】
ここで、前記フロントパネル５と前記サイドパネル６を取付ける基本構造は共通しており、広く一般に利用できるパネルの取付構造となっている。つまり、このパネルの取付構造は、両側に間隔をおいて立設した両縦部材（縦杆８，８）の上下間に横部材（横杆９，９又は横桟３と下連結部材４）を連結してフレーム組体を形成し、両縦部材間に嵌合する横幅と上下横部材間に渡る高さを有したパネル（フロントパネル５又はサイドパネル６）の下端部裏面に、前記下横部材に上方から係止する係止片（係止片２４，２９）を突設するとともに、前記パネルの上端部裏面に、前記上横部材の上端面に載置し且つ該上横部材の内面に係止する断面略Ｌ字形の取付片（取付片２５，３０）を突設し、適宜取付手段にて取付けた天板と前記上横部材とで前記取付片を挟持してなるものである。
【００３１】
あるいは、パネルの取付構造として、両側に間隔をおいて立設した両縦部材の上下間に横部材を連結してフレーム組体を形成し、両縦部材の前面の一部又は前部を覆い得る横幅と上下横部材間に渡る高さを有したパネルの両側端部裏面に、前記両縦部材の前面に形成した係止孔に係止するフックを突設するとともに、前記パネルの上端部裏面に、前記上横部材の上端面に載置し且つ該上横部材の内面に係止する断面略Ｌ字形の取付片を突設し、適宜取付手段にて取付けた天板と前記上横部材とで前記取付片を挟持してなる構成を採用することも好ましい。この構造をカウンターに適用した場合、フロントパネル５によって、脚枠体２の縦杆８の前面を隠蔽することができるようになり、外観性の向上が図れるのである。
【００３２】
次に、図７は、中間の脚枠体２Ａを介して次々に横桟３，３や下連結部材４を連結するとともに、フロントパネル５を装着し、天板１をネジ止めして側方に連設する場合の最小限の構成を示したものである。図示したものは、カウンターＡ，Ａを直線状に連設した例である。ここで、前記中間の脚枠体２Ａの縦杆８Ａの横幅を、端部に位置する脚枠体２の縦杆８の略２倍にすることで、横桟３、下連結部材４、フロントパネル５及び天板１の横寸法を変更することなく利用することができる。前記中間の脚枠体２Ａの縦杆８Ａの両側面には、前述のように、係止孔１０、係止孔１１、係止孔１３が形成されている。
【００３３】
また、図８及び図９に示したものは、直線状に配したカウンターＡのコーナー部に配置するコーナーカウンターＢの実施形態である。基本的な構造は、前記同様である。脚枠体２は前述のものと共通であり、両脚枠体２，２を直交状態で配置し、交差部に位置する両縦杆８，８の内面同士をＬ金具３５，３５でネジ止め連結する。そのため、脚枠体２の縦杆８の内面側には、下穴３６，…を形成しておき、Ｌ金具３５の通孔を貫通させたタッピンネジを前記下穴３６に螺入する。前述のものと異なる部品は、平面視形状が扇形の天板１Ａと、平面視形状において両端部が互に直交し、中間部が屈曲して連結した形状の横桟３Ａ、下連結部材４Ａ及びフロントパネル５Ａであるが、横桟３Ａ、下連結部材４Ａをそれぞれ脚枠体２，２の開いた側の縦杆８，８に嵌合係止する構造は前記同様であり、それぞれフック１７及びフック２１を両端に形成している。そして、前記フロントパネル５Ａの下端部に形成した係止片２４（図示せず）を下連結部材４Ａに係止するとともに、上端部の取付片２５を横桟３Ａに係止し、その上に天板１Ａを載置して横桟３Ａに下方から貫通したネジ２７，…で連結する。尚、この場合、前記脚枠体２に前記同様のサイドパネル６をそれぞれ取付けることも可能であるが、該サイドパネル６は端部に位置する脚枠体２にのみ取付ければ良いので、このコーナーカウンターＢが端部に位置しない限り、サイドパネル６は不要である。また、コーナーカウンターＢを構成する脚枠体２として前述の中間の脚枠体２Ａを用いることで、直接他のカウンターＡを構成する横桟３、下連結部材４を連結することができ、部品点数を削減してコスト低減化を図ることができる。その他の構成は、前記同様であるので、同一構成には同一符号を付して、その説明は省略する。
【００３４】
次に、図１０は、天板１を前方寄りに付け替えて、該天板１の前方突出部の下方に空間部を形成し、前記フロントパネル５の前面側に物品収容部を形成した実施形態である。本実施形態では、脚枠体２の縦杆８の前面にも係止孔３７，…を上下方向に所定間隔毎に列設し、雑誌、パンフレット、カタログ等を保持する傾斜棚３８のブラケット３９に形成したフック（図示せず）を前記係止孔３７，３７に嵌合係止して装着している。そして、下方の床面上にはベース体４０を設置している。このベース体４０は、前記係止孔３７を利用して脚枠体２の縦杆８に係止することが好ましい。
【００３５】
最後に、図１１は、天板１の高さを嵩上げする構造を示したものである。図示したように、前記脚枠体２を構成する両縦杆８，８は、角パイプで構成しているので、上端に四角穴４１が開放されているので、この四角穴４１を利用して延長部材４２を連結する。前記延長部材４２は、前記縦杆８と同一断面形状の延長縦杆４３，４３の上端間を横杆４４で連結するとともに、両延長縦杆４３，４３に下方へ前記縦杆８，８の四角穴４１，４１に嵌入する嵌合片４５，４５を突設したものである。また、前記延長部材４２の両延長縦杆４３，４３の上端部内面側には前記係止孔１０と同様な係止孔（図示せず）を形成し、前記同様に横桟３，３のフック１７，１７をそれぞれ嵌合係止できるようになっている。そして、前記同様に、両側の延長部材４２，４２間に連結された両横桟３，３に下方より天板１をネジ止めするのである。この場合、前記延長部材４２で嵩上げされた部分に延長フロントパネルや延長サイドパネルを装着するようにしても良いが、両脚枠体２，２に連結した横桟３，３を省略し、上下寸法が大きなフロントパネル５とサイドパネル６を用意して、前記延長部材４２の横杆４４を利用してサイドパネル６を装着し、また両延長部材４２，４２の延長縦杆４３，４３間に連結した横桟３を利用してフロントパネル５を装着しても良い。
【００３６】
【発明の効果】
以上にしてなる請求項１又は２に係る発明のパネルの取付構造によれば、両側に間隔をおいて立設した両縦部材の上下間に横部材を連結してフレーム組体に、パネルを簡単に取付けることができ、しかもその後に取付けられた天板と上横部材とで、該上横部材に係止したパネルの取付片を挟持するので、該パネルが不意に外れることがなく、またガタつきなく強固に取付けることができる。
【００３７】
請求項３に係る発明の組立式カウンター装置によれば、必要最小限の部品を用い、大部分の連結部を嵌合構造にて連結し、ネジ止め箇所を最小限に止めるにも係らず必要な強度を備え、組立工数、時間を大幅に短縮し、コスト削減化を図ることができる。また、フロントパネルの上端部の取付片と下端部の係止片を，両脚枠体の縦杆の上下に連結した横桟と下連結部材とにそれぞれ係止するとともに、天板を横桟にネジ止めするだけで、フロントパネルの取付片を天板と横桟とで挟持するので、該フロントパネルが不意に外れることがなく、またガタつきなく強固に取付けることができる。
【００３８】
請求項４によれば、必要に応じてサイドパネルを脚枠体に簡単に取付けることができる。この場合も請求項３と同様に、サイドパネルの上端部の取付片と下端部の係止片を，両脚枠体の上下の横杆にそれぞれ係止するとともに、天板を横桟にネジ止めするだけで、サイドパネルの取付片を天板と上方の横杆とで挟持するので、該サイドパネルが不意に外れることがなく、またガタつきなく強固に取付けることができる。
【００３９】
請求項５によれば、ネジ止め箇所は横桟に天板を連結する部分のみの最小限にしても、両脚枠体は上部の横桟と下部の下連結部材と、更に両脚枠体の前側縦杆間に嵌合したフロントパネルによって強固に連結され、組立後は剛体構造となるのである。
【００４０】
請求項６によれば、フロントパネルの取付片に影響されずに天板を横桟にネジ止めすることができるとともに、該フロントパネルの取付構造がより強固になる。
【図面の簡単な説明】
【図１】本発明に係る組立式カウンター装置を示す斜視図である。
【図２】同じく分解斜視図である。
【図３】組立手順の前半部分を示した説明図である。
【図４】組立手順の後半部分を示した説明図である。
【図５】組立てた状態の部分拡大縦断正面図である。
【図６】同じく部分拡大縦断側面図である。
【図７】カウンターを直線状に二連設した状態の斜視図である。
【図８】コーナーカウンターの斜視図である。
【図９】同じく分解斜視図である。
【図１０】フロントパネルの前面側に物品収納部を設けた例を示す斜視図である。
【図１１】天板の高さを嵩上げする構造を示す分解斜視図である。
【符号の説明】
１，１Ａ  天板            ２，２Ａ  脚枠体
３，３Ａ  横桟            ４，４Ａ  下連結部材
５，５Ａ  フロントパネル  ６  サイドパネル
７  棚板                  ８，８Ａ  縦杆
９  横杆                  １０  係止孔
１１  係止孔              １２  棚受具
１３  係止孔              １４  アジャスター
１５  載置板              １６  補強板
１７  フック              １８  突部
１９  基板                ２０  受板
２１  フック              ２２  係止縁
２３  開口                ２４  係止片
２４Ａ  傾斜片            ２５  取付片
２５Ａ  支持片            ２５Ｂ  規制片
２６  取付孔              ２７  ネジ
２８  通孔                ２９  係止片
２９Ａ  支持片            ２９Ｂ  規制片
３０  取付片              ３０Ａ  支持片
３０Ｂ  規制片            ３１  当止板
３２  通孔                ３３  孔
３４  プッシュリベット    ３５  Ｌ金具
３６  下穴                ３７  係止孔
３８  傾斜棚              ３９  ブラケット
４０  ベース体            ４１  四角穴
４２  延長部材            ４３  延長縦杆
４４  横杆                ４５  嵌合片
Ａ  カウンター            Ｂ  コーナーカウンター
【図１】
2004180952.tif 000003
【図２】
2004180952.tif 000004
【図３】
2004180952.tif 000005
【図４】
2004180952.tif 000006
【図５】
2004180952.tif 000007
【図６】
2004180952.tif 000008
【図７】
2004180952.tif 000009
【図８】
2004180952.tif 000010
【図９】
2004180952.tif 000011
【図１０】
2004180952.tif 000012
【図１１】
2004180952.tif 000013